(57)【要約】【課題】共用居室の内部から玄関前のポーチを視認できる居住用の建物を提供する。【解決手段】室外との出入りを行う玄関口１ａと、その玄関口１ａの屋外側に設けられたポーチ２と、キッチン空間５ｃおよびそのキッチン空間５ｃと接続された居住者により供用される居室空間を有するとともに、内部からポーチ２を視認可能な窓５１，５２を有するＬＤＫ（共用居室）５とを備える。居室空間は、食卓が配置されるダイニング空間５ｂと、ダイニング空間５ｂと接続されたリビング空間５ａと、を有する。【選択図】図１
2015218439.tif 000002
【特許請求の範囲】
【請求項１】
室外との出入りを行う玄関口と、
前記玄関口の屋外側に設けられたポーチと、
キッチン空間および該キッチン空間と接続された居住者により共用される居室空間を有するとともに、内部から前記ポーチを視認可能な窓を有する共用居室と、を備えることを特徴とする建物。
【請求項２】
請求項１に記載の建物において、
前記居室空間は、食卓が配置されるダイニング空間と、該ダイニング空間と接続されたリビング空間と、を有することを特徴とする建物。
【請求項３】
請求項２に記載の建物において、
前記共用居室の前記窓は、前記ダイニング空間または前記リビング空間から前記ポーチを視認可能であることを特徴とする建物。
【請求項４】
請求項１から請求項３のいずれか一項に記載の建物において、
前記玄関口は、前記共用居室の前記窓から前記ポーチを通して視認可能な位置に配置されていることを特徴とする建物。
【請求項５】
請求項１から請求項４のいずれか一項に記載の建物において、
前記共用居室の前記窓と、前記ポーチとの間で、屋外に設置され、該共用居室からアクセス可能なデッキを備えることを特徴とする建物。
【請求項６】
請求項５に記載の建物において、
前記デッキは、前記ポーチからもアクセス可能に設けられていることを特徴とする建物。
【発明の詳細な説明】
【技術分野】
【０００１】
本発明は居住用の建物に係り、特に、居室内から玄関前に設けられているポーチを視認することができるようにしたものに関する。
【背景技術】
【０００２】
特許文献１には、人の主要な出入口である玄関にポーチ（特許文献１では「玄関ポーチ」としている。）を備えた建物が開示されている。このポーチは、玄関の屋外側に、壁から突き出た庇等で上方が覆われて構成されているため、雨が降った日に傘を持って玄関を通るときに、雨に濡れずに出入りできる等の効果を得ることができる。
【０００３】
特許文献２には、共用玄関を有する集合住宅が開示されている。そして、この共用玄関には、上述したポーチは設けられていないが、その共用玄関に来訪者を案内するステージ通路が設けられている。このステージ通路の一部分は、集合住宅の居住者の視界内に存在するように設けられているため、特に、空き巣等に対して防犯性を高める効果を得ることができる。
【先行技術文献】
【特許文献】
【０００４】
【特許文献１】特開２００５−１２７０８９号公報
【特許文献２】特許第５３１２８６６号公報
【発明の概要】
【発明が解決しようとする課題】
【０００５】
しかしながら、従来のポーチを備えた居住用の建物は、ポーチがリビング等の居室から直接視認できるように配設されていないために、居室内においてインターホン等によって合図があるまで来訪者を事前に確認することができないという欠点があり、また、居室内において玄関からの家人の出入りを確認することができないという欠点がある。このような欠点を解決するために、上記特許文献２に開示されたようなステージ通路を設け、来訪者や家人の出入りをリビング等の居室から見えるようにすることも考えられる。しかし、このような通路を設けることは、余分に敷地や設備を必要とするだけでなく、施工費が嵩む等の新たな問題点が発生してしまう。
【０００６】
また、近年、居住用の建物は、近隣住人同士のコミュニケーションを図るために、旧来の縁側を備えた農家のような近隣住人と親しく語り合うことができる空間を備えることが望まれている。なぜならば、このような空間を備えた居住用の建物は、その空間を利用して近隣住人同士が気楽に語り合うことができるため、高齢者等の弱者に優しく、かつ、近隣住人同士が緊密に連携のとれたローカルコミュニティを復活させることができるだけでなく、不審者等の侵入を許さない安全なローカルコミュニティを実現できるからである。
【０００７】
そこで、本発明は、上記欠点を解決するとともに、上記要望に応えるためになされたものであって、その目的は、リビング等の居室からポーチを直接視認できるとともに、近隣住人と親しく語り合うことができる空間を備えた居住用の建物を提供することにある。
【課題を解決するための手段】
【０００８】
本発明に係る建物は、上記目的を達成するために、室外との出入りを行う玄関口と、その玄関口の屋外側に設けられたポーチと、キッチン空間およびそのキッチン空間と接続された居住者により共用される居室空間を有するとともに、内部から前記ポーチを視認可能な窓を有する共用居室と、を備えることを特徴としている。
上記構成に係る建物は、共用居室内から玄関前のポーチを視認すことができる。したがって、インターホン等からの合図がある前に来訪者を確認することができ、また、玄関からの家人の出入りを確認することができる。
【０００９】
本発明に係る建物は、居室空間は食卓が配置されるダイニング空間と、そのダイニング空間と接続されたリビング空間と、を有することを特徴としている。
上記構成に係る建物は、居室空間がダイニング空間とリビング空間とを有しているため、利便性を高めることができる。
【００１０】
本発明に係る建物は、共用居室の窓はダイニング空間またはリビング空間からポーチを視認可能であることを特徴としている。
上記構成に係る建物は、居室空間がダイニング空間とリビング空間とからなるため、これら空間から来訪者を確認することができ、また、これら空間から玄関からの家人の出入りを確認することができる。
【００１１】
本発明に係る建物は、玄関口は共用居室の窓からポーチを通して視認可能な位置に配置されていることを特徴としている。
上記構成に係る建物は、共用居室から玄関口を視認できるため、玄関ドアの開閉状態等を視認することができる。
【００１２】
本発明に係る建物は、共用居室の窓と、ポーチとの間で、野外に設置され、その共用居室からアクセス可能なデッキを備えることを特徴としている。
上記構成に係る建物は、野外に設置されるデッキは来訪者も気楽に腰を下ろして利用ができるから、近隣住人同士が語り合うことができる空間として利用することができる。したがって、このデッキを備えた建物は、そのデッキを利用して近隣住人同士が気楽に語り合うことができ、高齢者等の弱者に優しく、かつ、近隣住人同士が緊密に連携のとれたローカルコミュニティを復活させることができるだけでなく、不審者等の侵入を許さない安全なローカルコミュニティを実現することができる。
【００１３】
本発明に係る建物は、デッキはポーチからもアクセス可能に設けられていることを特徴としている。
上記構成に係る建物は、デッキがポーチからもアクセス可能なため、来訪者もアクセスしやすく、利便性を高めることができる。
【発明の効果】
【００１４】
本発明に係る建物は、共用居室の内部からポーチを視認できるように構成されているため、インターホン等からの合図がある前に来訪者を確認することができ、また、玄関からの家人の出入りを確認することができる。
【図面の簡単な説明】
【００１５】
【図１】本発明の第１の実施形態に係る建物の平面図である。
【図２】本発明の第２の実施形態に係る建物の平面図である。
【発明を実施するための形態】
【００１６】
（第１の実施形態）
以下、本発明の第１の実施形態について図面を用いて説明する。なお、本発明は、この実施形態により限定されるものではなく、また、下記の実施形態における構成要素には、当業者が置換可能かつ容易なもの、あるいは実質的に同一ものも含まれる。
【００１７】
図１に示される本発明の第１の実施形態に係る居住用の建物Ａ１は、複数階からなる住宅の一階部分の平面を示していて、この図１における建物Ａ１の下側に当たる南側には、図示しないが道路が設けられている。そして、この図１は、周知の住宅の間取り図と同様に示されている。したがって、この図１の太線で示される箇所は壁であり、その太線間の細線で示される箇所は窓やドアが設けられていることを示している。また、後述するポーチの黒丸は柱を示している。なお、後述する図２に示される本発明の第２の実施形態に係る建物Ａ２も、この図１と同様に示されている。
【００１８】
建物Ａ１の南側には、東側から西側にかけて、すなわち、図１の下側で、右側から左側にかけて、順に、玄関１、ポーチ２、デッキ３および和室４が設けられている。
【００１９】
玄関１は、建物Ａ１の主要な出入り口であり、玄関１の西側に設けられている玄関口１ａを介してポーチ２と連通するように構成されている。玄関口１ａには、施錠可能な玄関ドア１ｂが設けられている。図１の白抜きの矢印は、玄関１に対する人の出入り方向を示している。
【００２０】
ポーチ２は、所定の床面積を有するとともに、玄関１と同じ高さの床面を有し、その上方は建物Ａ１の図示しない２階の構造物で覆われていて、雨が直接当たらないように工夫されている。なお、ポーチ２の上方が建物Ａ１の２階の構造物で覆われないときには、周知のポーチと同様に上方が庇等で覆われる。
【００２１】
デッキ３は、和室４および後述するリビング・ダイニング・キッチン（以下、「ＬＤＫ」という。）５側を除いて室外側、すなわち野外側に開放した形で設けられ、平面視において略正方形状に形成され、所定の面積を有して設けられている。そして、そのデッキ３の床面の高さは、ポーチ２の床面位置よりも少し高く、かつ、和室４およびＬＤＫ５の床面位置と略同一となるように決められている。したがって、デッキ３は、ポーチ２の床面位置よりも高い分、防水性に優れる特長を有している。また、デッキ３と和室４又はＬＤＫ５とほとんど段差がない分、デッキ３およびこれら室４，５間のアクセスが容易になる特長を有している。
さらに、このデッキ３は、野外側に開放した形で設けられているため、外部からの来訪者も気楽に腰を下ろして利用ができる特長を有している。デッキ３は、ポーチ２およびデッキ３の南側の空間の少なくとも一方からアクセス可能に構成されている。
【００２２】
ＬＤＫ５は、本発明の共用居室に相当していて、上述した玄関１、ポーチ２、デッキ３および和室４の北側（図１において上側）設けられ、建物Ａ１の一階部分で最も大きな面積を有して構成されている。そして、このＬＤＫ５内には、東側から西側にかけて、リビング空間５ａ、ダイニング空間５ｂ、キッチン空間５ｃが配置されている。なお、リビング空間５ａおよびダイニング空間５ｂは、本発明の居室空間に相当している。
【００２３】
リビング空間５ａは、例えば、ソファなどが設置されていて、建物Ａ１内の居住者が例えばテレビを鑑賞しなからくつろぐ空間を構成している。ダイニング空間５ｂは、例えば、ダイニングセット（食卓）などが設置され、建物Ａ１内の居住者が食事をする空間を構成している。キッチン空間５ｃは、例えば、コンロやシンクなどを有するキッチン台が設置され、調理を行う空間を構成している。
これら空間は、建物Ａ１内の居住者が、日中、最も居住している可能性の高い空間を構成している。
【００２４】
ＬＤＫ５のうち、ポーチ２との間およびデッキ３との間には、透明ガラスを有する窓５１，５２がそれぞれ設けられている。なお、これらの窓５１，５２は、ＬＤＫ５とポーチ２またはデッキ３との間でアクセス可能なように、下端部が床面と同じ高さの掃き出し窓としてもよいし、ＬＤＫ５とポーチ２またはデッキ３との間のアクセスが必要ない場合は、下端部が床面よりも上方に位置する腰窓としてもよい。本実施形態では、ＬＤＫ５とポーチ２との間の窓５１は腰窓とし、ＬＤＫ５とデッキ３との間の窓５２は腰窓としている。
【００２５】
いずれにしても、ＬＤＫ５からは、窓５１，５２およびデッキ３を介してポーチ２を視認できるように構成されている。
図１中のＬＤＫ５からポーチ２側に伸びる矢印は、ＬＤＫ５からポーチ２を視認できることを示している。なお、ＬＤＫ５に設けられる窓５１，５２には、必要に応じてレースのカーテンやブラインド等が設けられて、屋外からＬＤＫ５の内部を視認できないように工夫されていることが好ましい。
【００２６】
和室４は、所定の面積（広さ）を有するとともに、少なくともデッキ３側には、透明ガラスを有する窓４１が設けられている。なお、この窓４１についても、掃き出し窓としてもよいし、腰窓としてもよく、和室４からは、窓４１およびデッキ３を介しポーチ２を視認できるように構成されている。
図１中の和室４からポーチ２側に伸びる矢印は、和室４からポーチ２を視認できることを示している。なお、和室４に設けられる窓４１には、必要に応じて障子やレースのカーテン等が設けられて、屋外から和室４の内部を視認できないように工夫されていることが好ましい。
【００２７】
ＬＤＫ５の北側（図１において上側）には、東側から西側にかけて、すなわち、図１の上側で、右側から左側にかけて、順に、浴室６、脱衣・洗面室７、トイレ８、階段９、勝手口１０および納戸１１が設けられている。なお、これらの部屋の配置や形態については、任意に設定されてよい。
【００２８】
次に、上述した第１の実施形態による建物Ａ１の作用・効果について図面を用いて説明する。
上述した第１の実施形態による建物Ａ１によれば、和室４の内部およびＬＤＫ５の内部からポーチ２を視認できるように構成されているため、インターホン等による合図がある前に来訪者を確認することができ、また、玄関からの家人の出入りを確認することができる。
【００２９】
また、建物Ａ１は、屋外側に開放した形でデッキ３が設けられているため、来訪者も気楽に腰を下ろして利用ができる。すなわち、このデッキ３は、近隣住人同士が気楽に語り合うことができる空間として利用することができる。したがって、このような空間を備えた居住用の建物Ａ１は、その空間を利用して近隣住人同士が気楽に語り合うことができるため、高齢者等の弱者に優しく、かつ、近隣住人同士が緊密に連携のとれたローカルコミュニティを復活させることができるだけでなく、不審者等の侵入を許さない安全なローカルコミュニティを実現することができる。
【００３０】
（第２の実施形態）
図２に示される本発明の第２の実施形態に係る居住用の建物Ａ２は、複数階からなる住宅の一階部分の平面を示していて、この図２における建物Ａ２の上側に当たる北側には、図示しないが道路が設けられている。そして、この図２においては、図１と同一の構成要素については同一符号が付されている。したがって、図１と同一符号の構成要素の説明については、説明の重複を避けるために省略する。
【００３１】
この建物Ａ２と上述した建物Ａ１と異なる点は、道路が北側に位置しているために、建物Ａ２の玄関１およびポーチ２が北側（図２において上側）に設けられていること、和室４から窓を介してポーチ２を視認できないこと、建物Ａ２では建物Ａ１に設けられている納戸１１が存在しないこと、そして、建物Ａ１では勝手口１０の位置が北側に設けられているのに対して、建物Ａ２では南側に設けられていることである。なお、建物Ａ１のデッキ３は、平面視において略正方形状に形成されているのに対して、この建物Ａ２のデッキ３は、ＬＤＫ５の南側（図２において下側）に、東西に延びる略長方形状に形成され、旧来の縁側の形態となっている。
【００３２】
この建物Ａ２において、ポーチ２を視認できる空間は、図２に矢印で示されるように、建物Ａ２内の居住者が、日中、最も居住している可能性の高いＬＤＫ５からのみとされている。
【００３３】
また、ＬＤＫ５のポーチ２側には、上述した建物Ａ１と同様に、透明ガラスを有する窓５３が設けられるため、ＬＤＫ５内のリビング空間５ａ、ダイニング空間５ｂおよびキッチン空間５ｃのいずれからもポーチ２を視認することができる。図２中のＬＤＫ５からポーチ２側に伸びる矢印は、ＬＤＫ５からポーチ２を視認できることを示している。なお、ＬＤＫ５に設けられる窓５３には、レースのカーテンやブラインド等が設けられて、屋外からＬＤＫ５の内部を視認できないように工夫されている。
【００３４】
第２の実施形態による建物Ａ２は、ＬＤＫ５の内部からポーチ２を視認できるように構成されているため、第１実施形態と同様の効果を奏する。
【００３５】
また、第２の実施形態による建物Ａ２は、ポーチ２とは離れた位置に屋外側に開放した形でデッキ３が設けられているが、このデッキ３についても、居住者のみならず来訪者も気楽に腰を下ろして利用することができため、第１の実施形態と同様の効果を奏する。
【００３６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００３７】
例えば、上述した建物Ａ１，Ａ２は、階段９を有して複数階の建物として示されているが、建物Ａ２は平屋建てとしてもよい。この場合、階段９は省略される。
また、ＬＤＫ５は、リビング空間５ａ、ダイニング空間５ｂ、キッチン空間５ｃが一体に形成されているが、これらの間に間仕切壁などが設けられていて区分されていてもよい。
また、上述した建物Ａ１，Ａ２は、リビング空間５ａ、ダイニング空間５ｂおよびキッチン空間５ｃのいずれからもポーチ２を視認できるように構成されているが、リビング空間５ａ、ダイニング空間５ｂおよびキッチン空間５ｃの少なくとも１つの空間からポーチ２を視認できるように構成されていればよい。
また、上述した建物Ａ1，Ａ２は、ＬＤＫ５から玄関口１ａを視認可能に構成されているが、ポーチ２を視認可能であれば、玄関口１ａを視認できなくてもよい。
また、上述した建物Ａ1，Ａ２は、デッキ３が設けられているが、設けられていなくてもよい。また、第２の実施形態による建物Ａ２において、ＬＤＫ５およびポーチ２と隣接してデッキ３が設けられていてもよい。
【００３８】
また、第１の実施形態による建物Ａ１は、南側に道路を有するときの例が示され、第２の実施形態による建物Ａ２は、北側に道路を有するときの例が示されているが、道路が建物の東側又は西側に存在する場合であってもよい。この場合は、それぞれに合った間取りとされ、ＬＤＫ５からポーチ２を視認できるように構成されていればよい。
また、第２の実施形態による建物Ａ２は、和室４から窓４１およびデッキ３を介してポーチ２を視認可能に構成されているが、和室４からポーチ２を視認できなくてもよい。
【符号の説明】
【００３９】
Ａ１，Ａ２  建物
１  玄関
１ａ  玄関口
２  ポーチ
３  デッキ
５  ＬＤＫ（共用居室）
５ａ  リビング空間（居室空間）
５ｂ  ダイニング空間（居室空間）
５ｃ  キッチン空間
４１，５１〜５３  窓
【図１】
2015218439.tif 000003
【図２】
2015218439.tif 000004